(57)【要約】【課題】筐体に対してブロックを挿入する際に、予め設定されている挿入方向と異なる挿入方向となっても、各係合部の係合を確実に行うことができる電気接続箱およびワイヤハーネスを提供すること。【解決手段】電子部品を収容するキャビティーが複数形成されるブロック３と、ブロック３を収容する内部空間部２１ａが形成される筐体本体２１と、ブロック３と筐体本体２１との間に設けられ、筐体本体２１に対してブロック３を嵌合する係合部４，５と、を備える。係合部４，５は、ブロック３の特定方向における一方向端に対応する第１係合部４と、ブロック３の特定方向における他方向端に対応する第２係合部５とを含む。第１係合部４において、案内受け部４４の傾斜面４４ｂが形成される。傾斜面４４ｂは、筐体本体２１に対してブロック３が挿入方向に挿入される際に、案内受け部４４が挿入方向において案内片４３と対向する抜去方向端部を切り欠いて形成される。【選択図】図８
2020184858.tif 000002
【特許請求の範囲】
【請求項１】
電子部品を収容するキャビティーが複数形成されるブロックと、
前記ブロックを収容する収容空間部が形成される筐体と、
前記ブロックと前記筐体との間に設けられ、前記ブロックが挿入方向から前記筐体に収容された収容状態において、前記筐体に対して前記ブロックを嵌合する少なくとも複数の係合部と、
を備え、
複数の前記係合部は、前記ブロックの特定方向における一方向端に対応する１以上の第１係合部と、前記ブロックの特定方向における他方向端に対応する１以上の第２係合部とを含み、
前記第１係合部および前記第２係合部は、
前記ブロックおよび前記筐体の一方に形成された係合片と、
他方に形成され、かつ前記筐体に対して前記ブロックが挿入方向に挿入されることで、前記係合片と係合する係合受け部と、
前記ブロックおよび前記筐体の一方に形成された案内片と、
他方に形成され、かつ前記筐体に対して前記ブロックが挿入方向に挿入されることで、前記係合片と前記係合受け部とが接触する前に、前記案内片の挿入方向への案内を開始する案内受け部と、
を有し、
前記第１係合部および前記第２係合部の少なくとも一方の係合部において、前記案内片および前記案内受け部の少なくとも一方に傾斜面が形成され、
傾斜面は、前記筐体に対して前記ブロックが挿入方向に挿入される際に、前記案内片および前記案内受け部が挿入方向において対向する端部を切り欠いて形成される、
ことを特徴とする電気接続箱。
【請求項２】
前記ブロックは、長手方向を有し、
前記特定方向は、長手方向である、
請求項１に記載の電気接続箱。
【請求項３】
前記ブロックは、前記特定方向において、収容される前記電子部品が粗となる電子部品粗領域と、収容される前記電子部品が密となる電子部品密領域と、を有し、
前記第１係合部は、前記電子部品粗領域側に形成され、
前記第２係合部は、前記電子部品密領域側に形成され、
前記傾斜面は、少なくとも第一係合部の前記案内片および前記案内受け部の少なくとも一方に形成される、
請求項１または２に記載の電気接続箱。
【請求項４】
電子部品を収容するキャビティーが複数形成されるブロックと、
前記ブロックを収容する収容空間部が形成される筐体と、
前記ブロックと前記筐体との間に設けられ、前記ブロックが挿入方向から前記筐体に収容された収容状態において、前記筐体に対して前記ブロックを嵌合する少なくとも複数の係合部と、
を有する電気接続箱と、
前記電子部品と電気的に接続される電線と、
を備え、
複数の前記係合部は、前記ブロックの特定方向における一方向端に対応する１以上の第１係合部と、前記ブロックの特定方向における他方向端に対応する１以上の第２係合部とを含み、
前記第１係合部および前記第２係合部は、
前記ブロックおよび前記筐体の一方に形成された係合片と、
他方に形成され、かつ前記筐体に対して前記ブロックが挿入方向に挿入されることで、前記係合片と係合する係合受け部と、
前記ブロックおよび前記筐体の一方に形成された案内片と、
他方に形成され、かつ前記筐体に対して前記ブロックが挿入方向に挿入されることで、前記係合片と前記係合受け部とが接触する前に、前記案内片の挿入方向への案内を開始する案内受け部と、
を有し、
前記第１係合部および前記第２係合部の少なくとも一方の係合部において、前記案内片および前記案内受け部の少なくとも一方に傾斜面が形成され、
傾斜面は、前記筐体に対して前記ブロックが挿入方向に挿入される際に、前記案内片および前記案内受け部が挿入方向において対向する端部を切り欠いて形成される、
ことを特徴とするワイヤハーネス。
【発明の詳細な説明】
【技術分野】
【０００１】
本発明は、電気接続箱およびワイヤハーネスに関する。
【背景技術】
【０００２】
自動車などの車両に搭載されるワイヤハーネスに用いられる電気接続箱は、筐体の収容空間部に複数の電子部品が収容されている。収容空間部に収容される電子部品は、多品種、多数となるため、電線が接続された電子部品を収容するキャビティーが複数形成されたブロックに予め収容された状態で、筐体の収容空間部に収容されることとなる（特許文献１参照）。筐体とブロックとの間には、複数の係合部が設けられており、係合部により筐体に対してブロックが嵌合されることとなる。
【先行技術文献】
【特許文献】
【０００３】
【特許文献１】特開２０１６−２２６１３９号公報
【発明の概要】
【発明が解決しようとする課題】
【０００４】
ところで、筐体に対するブロックの挿入は、各係合部の係合を確実に行うために、予め設定されている挿入方向、例えば垂直方向に沿って行われることが望ましい。筐体に対するブロックの挿入は、作業員が手作業で行うこととなるが、ブロックの形状や、ブロックに収容された電子部品の粗密などで、電線が接続された電子部品が収容されたブロックに対する作業員の把持位置が異なる。例えば、作業員の把持位置がブロックのうち偏った位置である場合は、作業員が筐体に対してブロックが挿入する際に、把持位置に近い係合部が、把持位置よりも遠い係合部よりも先に係合することで、予め設定されている挿入方向に対してブロックの挿入方向が傾くおそれがある。従って、把持位置よりも遠い係合部は、把持位置に近い係合部よりも係合し難くなるという問題がある。
【０００５】
本発明は、筐体に対してブロックを挿入する際に、予め設定されている挿入方向と異なる挿入方向となっても、各係合部の係合を確実に行うことができる電気接続箱およびワイヤハーネスを提供することを目的とする。
【課題を解決するための手段】
【０００６】
上記目的を達成するため、本発明に係る電気接続箱は、電子部品を収容するキャビティーが複数形成されるブロックと、前記ブロックを収容する収容空間部が形成される筐体と、前記ブロックと前記筐体との間に設けられ、前記ブロックが挿入方向から前記筐体に収容された収容状態において、前記筐体に対して前記ブロックを嵌合する少なくとも複数の係合部と、を備え、複数の前記係合部は、前記ブロックの特定方向における一方向端に対応する１以上の第１係合部と、前記ブロックの特定方向における他方向端に対応する１以上の第２係合部とを含み、前記第１係合部および前記第２係合部は、前記ブロックおよび前記筐体の一方に形成された係合片と、他方に形成され、かつ前記筐体に対して前記ブロックが挿入方向に挿入されることで、前記係合片と係合する係合受け部と、前記ブロックおよび前記筐体の一方に形成された案内片と、他方に形成され、かつ前記筐体に対して前記ブロックが挿入方向に挿入されることで、前記係合片と前記係合受け部とが接触する前に、前記案内片の挿入方向への案内を開始する案内受け部と、を有し、前記第１係合部および前記第２係合部の少なくとも一方の係合部において、前記案内片および前記案内受け部の少なくとも一方に傾斜面が形成され、傾斜面は、前記筐体に対して前記ブロックが挿入方向に挿入される際に、前記案内片および前記案内受け部が挿入方向において対向する端部を切り欠いて形成される、ことを特徴とする。
【０００７】
また、上記電気接続箱において、前記ブロックは、長手方向を有し、前記特定方向は、長手方向である。
【０００８】
また、上記電気接続箱において、前記ブロックは、前記特定方向において、収容される前記電子部品が粗となる電子部品粗領域と、収容される前記電子部品が密となる電子部品密領域と、を有し、前記第１係合部は、前記電子部品粗領域側に形成され、前記第２係合部は、前記電子部品密領域側に形成され、前記傾斜面は、少なくとも第一係合部の前記案内片および前記案内受け部の少なくとも一方に形成されるものである。
【０００９】
また、上記目的を達成するため、本発明に係るワイヤハーネスは、電子部品を収容するキャビティーが複数形成されるブロックと、前記ブロックを収容する収容空間部が形成される筐体と、前記ブロックと前記筐体との間に設けられ、前記ブロックが挿入方向から前記筐体に収容された収容状態において、前記筐体に対して前記ブロックを嵌合する少なくとも複数の係合部と、を有する電気接続箱と、前記電子部品と電気的に接続される電線と、を備え、複数の前記係合部は、前記ブロックの特定方向における一方向端に対応する１以上の第１係合部と、前記ブロックの特定方向における他方向端に対応する１以上の第２係合部とを含み、前記第１係合部および前記第２係合部は、前記ブロックおよび前記筐体の一方に形成された係合片と、他方に形成され、かつ前記筐体に対して前記ブロックが挿入方向に挿入されることで、前記係合片と係合する係合受け部と、前記ブロックおよび前記筐体の一方に形成された案内片と、他方に形成され、かつ前記筐体に対して前記ブロックが挿入方向に挿入されることで、前記係合片と前記係合受け部とが接触する前に、前記案内片の挿入方向への案内を開始する案内受け部と、を有し、前記第１係合部および前記第２係合部の少なくとも一方の係合部において、前記案内片および前記案内受け部の少なくとも一方に傾斜面が形成され、傾斜面は、前記筐体に対して前記ブロックが挿入方向に挿入される際に、前記案内片および前記案内受け部が挿入方向において対向する端部を切り欠いて形成される、ことを特徴とする。
【発明の効果】
【００１０】
本発明に係る電気接続箱およびワイヤハーネスにおいては、筐体に対してブロックを挿入する際に、予め設定されている挿入方向と異なる挿入方向となっても、各係合部の係合を確実に行うことができるという効果を奏する。
【図面の簡単な説明】
【００１１】
【図１】図１は、実施形態に係る電気接続箱を示す斜視図である。
【図２】図２は、実施形態に係る電気接続箱の一部分解斜視図である。
【図３】図３は、第１係合部の係合片および案内片を示す斜視図である。
【図４】図４は、第２係合部の係合片および案内片を示す斜視図である。
【図５】図５は、第１係合部の係合受け部および案内受け部を示す斜視図である。
【図６】図６は、第２係合部の係合受け部および案内受け部を示す斜視図である。
【図７】図７は、第１係合部の係合状態を示す断面図である。
【図８】図８は、筐体本体に対するブロックの挿入時状態を示す断面図である。
【発明を実施するための形態】
【００１２】
以下に、本発明に係る電気接続箱およびワイヤハーネスの実施形態を図面に基づいて詳細に説明する。なお、この実施形態によりこの発明が限定されるものではない。また、下記の実施形態における構成要素には、当業者が容易に想定できるもの、あるいは実質的に同一のものが含まれる。また、下記の実施形態における構成要素は、発明の要旨を逸脱しない範囲で、種々の省略、置き換え、変更を行うことができる。
【００１３】
〔実施形態〕
まず、実施形態に係る電気接続箱およびワイヤハーネスについて説明する。図１は、実施形態に係る電気接続箱を示す斜視図である。図２は、実施形態に係る電気接続箱の一部分解斜視図である。図３は、第１係合部の係合片および案内片を示す斜視図である。図４は、第２係合部の係合片および案内片を示す斜視図である。図５は、第１係合部の係合受け部および案内受け部を示す斜視図である。図６は、第２係合部の係合受け部および案内受け部を示す斜視図である。図７は、第１係合部の係合状態を示す断面図である。図８は、筐体に対するブロックの挿入時状態を示す断面図である。ここで、図２は筐体本体およびブロックの斜視図であり、図７、８は第１係合部の案内片および案内受け部を含む断面図である。ここで、各図のＸ方向は、本実施形態における電気接続箱の幅方向であり、特定方向である。Ｙ方向は、本実施形態における電気接続箱の奥行き方向である。Ｚ方向は、本実施形態における上下方向である。また、Ｘ１方向は幅方向のうち一方向であり、Ｘ２方向は幅方向のうち他方向であり、Ｚ１方向は上下方向のうち上方向であり、予め設定された挿入方向であり、Ｚ２方向は上下方向のうち下方向であり、抜去方向である。
【００１４】
本実施形態における電気接続箱１は、自動車等の車両に搭載されて、バッテリなどの電源から供給される電力を各種の電子部品等を介して、車両に搭載される各種電子機器に分配するものである。ここで、電気接続箱１は、図１に示すように、ワイヤハーネス１００に組み込まれ、電線１０１等の接続処理用部品を構成するコネクタ、ヒューズ、リレー、分岐部、電子制御ユニット等の電子部品を集約して内部に収容するものである。本実施形態における電気接続箱１は、車両のエンジンルーム、トランクルーム、室内などの車両内空間部に設置され、バッテリなどの電源と、車両内に搭載される各種電子機器との間に接続されている。なお、電気接続箱１は、ジャンクションボックス、ヒューズボックス、リレーボックスなどとも呼ばれる場合があるが、本実施形態ではこれらを総称して電気接続箱１と呼ぶ。また、本実施形態における電気接続箱１は、上下方向が鉛直方向と一致して、車両内空間部に設置されている。電気接続箱１は、図１および図２に示すように、複数の筐体部品から構成される筐体２と、ブロック３と、第１係合部４と、第２係合部５と、他係合部６とを備える。
【００１５】
筐体２は、図１および図２に示すように、絶縁性の合成樹脂によって形成され、内部に形成された収容空間部２ａに、図示しない複数の電子部品を収容するものである。本実施形態における筐体２は、複数の電子部品が収容されたブロック３を収容空間部２ａに収容することで、複数の電子部品を収容するものである。ここで、電子部品は、バスバ、リレー、ヒューズ、ヒュージブルリンクなどである。電子部品の少なくとも一部は、図示しない挿通孔から収容空間部２ａに挿入された電線１０１が接続されている。筐体２は、ボックス本体２１と、ロアカバー２２と、アッパーカバー２３とを有する。筐体２は、挿入方向に向かってロアカバー２２、ボックス本体２１、アッパーカバー２３の順番に複数の層（３層）が積層された構造、すなわち複数の筐体部品に分割された構造となっている。ここで、筐体２の収容空間部２ａは、ボックス本体２１の内部空間部２１ａ、ロアカバー２２の図示しない内部空間部、およびアッパーカバー２３の図示しない内部空間部により構成されている。
【００１６】
ボックス本体２１は、図２、図５、図６に示すように、ブロック３を内部空間部２１ａに収容するものである。ボックス本体２１は、外周を構成する外周壁２１１と、外周壁２１１の内側、すなわち内部空間部２１ａ側において外周壁２１１に沿って形成される内周壁２１２とを有する。本実施形態におけるボックス本体２１は、上下方向から見た場合に、幅方向を特定方向、すなわち長手方向とする略長方形状に形成されている。ここで、ボックス本体２１の長手方向は、電気接続箱１の幅方向、すなわち特定方向である。ボックス本体２１は、上下方向における両端部にそれぞれ上側開口部２３ｂと、下側開口部２３ｃとが形成されている。内部空間部２１ａは、内周壁２１２により構成されており、上下方向において上側開口部２３ｂおよび下側開口部２３ｃによりそれぞれロアカバー２２の内部空間部およびアッパーカバー２３の内部空間部と連通する。ボックス本体２１は、幅方向における一方向端部に第１係合部４の一部が形成されている。本実施形態におけるボックス本体２１は、内周壁２１２のうち、幅方向における一方向端部２１２ａに後述する係合受け部４２と案内受け部４４が形成されている。ボックス本体２１は、幅方向における他方向端部に第２係合部５の一部が形成されている。本実施形態におけるボックス本体２１は、内周壁２１２のうち、幅方向における他方向端部２１２ｂに後述する係合受け部５２と案内受け部５４が形成されている。
【００１７】
ロアカバー２２は、皿状の部材であり、ボックス本体２１の下側開口部２３ｃを閉塞するものである。ロアカバー２２は、上方向端部に図示しない開口部が形成されており、下方向端部に筐体本体２１とともに構成される挿通孔が形成されている。ロアカバー２２は、複数の係合部２４により、ボックス本体２１の下方向端部において、ボックス本体２１に対して着脱可能に係合されている。
【００１８】
アッパーカバー２３は、皿状の部材であり、ボックス本体２１の上側開口部２３ｂを閉塞するものである。アッパーカバー２３は、下方向端部に図示しない開口部が形成されている。アッパーカバー２３は、複数の係合部２５により、ボックス本体２１の上方向端部において、ボックス本体２１に対して着脱可能に係合されている。
【００１９】
ブロック３は、図２、図３、図４に示すように、絶縁性の合成樹脂によって形成され、内部に複数形成されたキャビティー３ａにそれぞれ１以上電子部品を収容するものである。ブロック３は、外周を構成するブロック周壁３１を有する。本実施形態におけるブロック３は、上下方向から見た場合に、幅方向を特定方向、すなわち長手方向とする略長方形状に形成されている。ここで、ブロック３の長手方向は、電気接続箱１の幅方向、すなわち特定方向である。キャビティー３ａは、少なくとも電子部品が挿入される下側開口部によりロアカバー２２の内部空間部と連通する。ブロック３は、幅方向における一方向端部に第１係合部４の一部が形成されている。本実施形態におけるブロック３は、ブロック周壁３１のうち、幅方向における一方向端部３１ａに後述する係合片４１と案内片４３が形成されている。ブロック３は、幅方向における他方向端部に第２係合部５の一部が形成されている。本実施形態におけるブロック３は、ブロック周壁３１のうち、幅方向における他方向端部３１ｂに後述する係合片５１と案内片５３が形成されている。ここで、ブロック３は、幅方向、すなわち特定方向において形成されるキャビティー３ａの数が変化する。本実施形態におけるブロック３は、幅方向のうち、他方向端部におけるキャビティー３ａの数が一方向端部におけるキャビティー３ａの数が多く形成されている。つまり、ブロック３は、幅方向のうち、第１係合部４側のキャビティー形成領域よりも、第２係合部５側のキャビティー形成領域が多くの電子部品が収容されることとなる。従って、ブロック３は、幅方向において、収容される電子部品が粗となる電子部品粗領域３２と、収容される電子部品が密となる電子部品密領域３３とを有する。つまり、ブロック３は、電子部品粗領域３２よりも、電子部品密領域３３における電線１０１が多くなる。
【００２０】
第１係合部４、第２係合部５および他係合部６は、図２〜図７に示すように、係合部であり、ブロック３と筐体２との間に設けられるものである。各係合部４，５，６は、ブロック３が挿入方向から筐体２の筐体本体２１に収容された収容状態において、筐体本体２１に対してブロック３を嵌合するものである。本実施形態における第１係合部４および第２係合部５は幅方向の両端部にそれぞれ設けられ、他係合部６は幅方向と直交する奥行き方向の少なくとも一方向端部に設けられるものである。第１係合部４、第２係合部５および他係合部６は、係合することで、抜去方向における筐体２に対するブロック３の移動を規制する。
【００２１】
第１係合部４は、図２、図３、図５、図７に示すように、幅方向における一方向端に対応するものであり、ブロック３と筐体２との間に形成される空間部のうち、幅方向における一方向端部に設けられるものである。本実施形態における第１係合部４は、電子部品粗領域３２側に形成されている。第１係合部４は、係合片４１と、係合受け部４２と、案内片４３と、案内受け部４４と、突起部４５と、突起部４６とを有する。
【００２２】
係合片４１は、図３に示すように、ブロック周壁３１の一方向端部３１ａにおいて、一方向に向かって突出して形成されている。係合片４１は、挿入方向端部が一方向端部３１ａに固定されており、一方向端部３１ａに対して他方向に向かって弾性変形可能に支持されている。係合片４１は、抜去方向に向かうに従い、一方向に向かって傾斜する案内面４１ａが形成されている。
【００２３】
係合受け部４２は、図５に示すように、筐体本体２１に対してブロック３が挿入方向に挿入されることで、係合片４１と係合するものである。係合受け部４２は、内周壁２１２の一方向端部２１２ａにおいて、他方向に向かって突出して形成されている。係合受け部４２は、挿入方向に向かうに従い、他方向に向かって傾斜する案内面４２ａが形成されている。係合片４１および係合受け部４２は、ブロック３が挿入方向から筐体本体２１に収容された収容状態において、上下方向において対向することで、抜去方向における筐体２に対するブロック３の移動を規制する。
【００２４】
案内片４３は、図３に示すように、奥行き方向において、係合片４１を挟んで、離間して一対形成されている。案内片４３は、挿入方向に向かって延在して形成され、抜去方向端部が係合片４１の抜去方向端部よりも抜去方向側に形成されている。案内片４３は、挿入方向から見た場合に、一方向端部３１ａから一方向に向かって突出し、先端部４３ａが奥行き方向において係合片４１側と反対側に突出して形成されている。つまり、案内片４３は、挿入方向から見た場合に、一方向端部３１ａから突出したＬ字状に形成されている。
【００２５】
案内受け部４４は、図５に示すように、筐体本体２１に対してブロック３が挿入方向に挿入されることで、係合片４１と係合受け部４２とが接触する前に、案内片４３の挿入方向への案内を開始するものである。案内受け部４４は、奥行き方向において、係合受け部４２を挟んで、離間して一対形成されている。ここで、係合受け部４２と、一対の案内受け部４４との間には、幅方向から見た場合に、案内片４３が挿入される切欠部４７がそれぞれ形成されている。案内受け部４４は、挿入方向に向かって延在して形成され、抜去方向端部が係合受け部４２の抜去方向端部よりも抜去方向側に形成されている。案内受け部４４は、挿入方向から見た場合に、一方向端部２１２ａから奥行き方向において係合受け部４２側に突出し、先端部４４ａが一方向に向かって形成されている。つまり、案内受け部４４は、挿入方向から見た場合に、一方向端部２１２ａから突出したＬ字状に形成されている。案内受け部４４は、係合片４１と係合受け部４２とが接触する前に、抜去方向側端部に、案内片４３の挿入方向側端部が挿入され、案内受け部４４によって案内片４３の挿入方向への案内が開始される。案内受け部４４は、傾斜面４４ｂを有する。傾斜面４４ｂは、筐体本体２１に対してブロック３が挿入方向に挿入される際に、案内片４３および案内受け部４４が挿入方向において対向する端部を切り欠いて形成されるものである。傾斜面４４ｂは、筐体本体２１に対してブロック３が挿入方向に挿入される際に、案内片４３の挿入方向端部が案内受け部４４と外周壁２１１との間の空間部Ｓ１に挿入されやすくするものである。傾斜面４４ｂは、案内受け部４４のうち、幅方向において案内片４３と対向する面に形成されている。本実施形態における傾斜面４４ｂは、案内受け部４４の先端部４４ａのうち、挿入方向において案内片４３と対向する抜去方向端部を切り欠いて形成されている。傾斜面４４ｂは、抜去方向端部から挿入方向に向かうに従い、一方向に向かって傾斜して形成されている。つまり、空間部Ｓ１は、抜去方向に向かうに従い、他方向に向かって広がって形成されている。案内片４３および案内受け部４４は、ブロック３が挿入方向から筐体本体２１に収容された収容状態において、幅方向および奥行き方向に対向することで、挿入方向と直交する水平面における筐体２に対するブロック３の移動を規制する。
【００２６】
突起部４５は、図３に示すように、挿入方向から見た場合に、幅方向において案内片４３の先端部４３ａと対向するものであり、各案内片４３にそれぞれ対応して一対形成されている。突起部４５は、一方向端部３１ａにおいて一方向に向かって形成されている。突起部４５は、挿入方向に向かって延在して形成されている。
【００２７】
突起部４６は、図５に示すように、挿入方向から見た場合に、幅方向において案内受け部４４の先端部４４ａと対向するものであり、各案内受け部４４にそれぞれ対応して一対形成されている。突起部４６は、外周壁２１１のうち、幅方向における一方向端部２１１ａにおいて他方向に向かって形成されている。突起部４６は、挿入方向に向かって延在して形成されている。
【００２８】
第２係合部５は、図２、図４、図６に示すように、幅方向における他方向端に対応するものであり、ブロック３と筐体２との間に形成される空間部のうち、幅方向における他方向端部に設けられるものである。本実施形態における第２係合部５は、電子部品密領域３３側に形成されている。第２係合部５は、係合片５１と、係合受け部５２と、案内片５３と、案内受け部５４と、突起部５５と、突起部５６とを有する。
【００２９】
係合片５１は、図４に示すように、ブロック周壁３１の他方向端部３１ｂにおいて、他方向に向かって突出して形成されている。係合片５１は、挿入方向端部が他方向端部３１ｂに固定されており、他方向端部３１ｂに対して一方向に向かって弾性変形可能に支持されている。係合片５１は、抜去方向に向かうに従い、一方向に向かって傾斜する案内面５１ａが形成されている。
【００３０】
係合受け部５２は、図６に示すように、筐体本体２１に対してブロック３が挿入方向に挿入されることで、係合片５１と係合するものである。係合受け部５２は、内周壁２１２の他方向端部２１２ｂにおいて、一方向に向かって突出して形成されている。係合受け部５２は、挿入方向に向かうに従い、一方向に向かって傾斜する案内面５２ａが形成されている。係合片５１および係合受け部５２は、ブロック３が挿入方向から筐体本体２１に収容された収容状態において、上下方向において対向することで、抜去方向における筐体２に対するブロック３の移動を規制する。
【００３１】
案内片５３は、図４に示すように、奥行き方向において、係合片５１を挟んで、離間して一対形成されている。案内片５３は、挿入方向に向かって延在して形成され、抜去方向端部が係合片５１の抜去方向端部よりも抜去方向側に形成されている。案内片５３は、挿入方向から見た場合に、他方向端部３１ｂから他方向に向かって突出し、先端部５３ａが奥行き方向において係合片５１側と反対側に突出して形成されている。つまり、案内片５３は、挿入方向から見た場合に、他方向端部３１ｂから突出したＬ字状に形成されている。また、本実施形態における案内片５３は、筐体本体２１に対してブロック３が挿入方向に挿入される際に、案内片４３が案内受け部４４に案内を開始されるより、先に案合い受け部５４に案内されるように形成されている。案内片５３の挿入方向端部は、案内片４３の挿入方向端部よりも挿入方向側に形成されている。
【００３２】
案内受け部５４は、図６に示すように、筐体本体２１に対してブロック３が挿入方向に挿入されることで、係合片５１と係合受け部５２とが接触する前に、案内片５３の挿入方向への案内を開始するものである。案内受け部５４は、奥行き方向において、係合受け部５２を挟んで、離間して一対形成されている。案内受け部５４は、挿入方向に向かって延在して形成され、抜去方向端部が係合受け部５２の抜去方向端部よりも抜去方向側に形成されている。案内受け部５４は、挿入方向から見た場合に、他方向端部２１２ｂから一方向に向かって突出し、先端部５４ａが奥行き方向において係合受け部５２側に突出して形成されている。つまり、案内受け部５４は、挿入方向から見た場合に、他方向端部２１２ｂから突出したＬ字状に形成されている。案内受け部５４は、係合片５１と係合受け部５２とが接触する前に、抜去方向側端部に、案内片５３の挿入方向側端部が挿入され、案内受け部５４によって案内片５３の挿入方向への案内が開始される。案内片５３および案内受け部５４は、ブロック３が挿入方向から筐体本体２１に収容された収容状態において、幅方向および奥行き方向に対向することで、挿入方向と直交する水平面における筐体２に対するブロック３の移動を規制する。
【００３３】
突起部５５は、図４に示すように、挿入方向から見た場合に、幅方向において案内片５３の先端部５３ａと対向するものであり、各案内片５３にそれぞれ対応して一対形成されている。突起部５５は、他方向端部３１ｂにおいて他方向に向かって形成されている。突起部５５は、挿入方向に向かって延在して形成されている。
【００３４】
突起部５６は、図６に示すように、挿入方向から見た場合に、幅方向において案内受け部５４の先端部５４ａと対向するものであり、各案内受け部５４にそれぞれ対応して一対形成されている。突起部５６は、外周壁２１１のうち、他方向端部２１２ｂにおいて一方向に向かって形成されている。突起部５６は、挿入方向に向かって延在して形成されている。
【００３５】
次に、電気接続箱１の組み立てについて説明する。まず、作業員は、ブロック３の各キャビティー３ａに電子部品を収容する。このとき、作業員は、収容された電子部品のうち、電線１０１を電気的に接続する。つまり、ブロック３は、収容された電子部品から電線１０１が延びた状態となる。
【００３６】
次に、作業員は、図２に示すように、上下方向において筐体本体２１下側開口部２３に対してブロック３を対向して配置する。このとき、作業員は、ブロック３のうち、電子部品密領域３３より電子部品粗領域３２が重く、ブロック３の幅方向における重心が電子部品粗領域３２側、すなわち第２係合部５側となるので、ブロック３のうち、電子部品粗領域３２側、すなわち第２係合部５側を把持する。次に、作業員は、筐体本体２１に対して、ブロック３を挿入方向に挿入する。このとき、作業員は、筐体本体２１に対してブロック３が挿入され始めると、把持位置をブロック３から電線１０１に変更する。次に、作業員が筐体本体２１に対してブロック３をさらに挿入すると、案内片５３の挿入方向端部が案内受け部５４の先端部５４ａと他方向端部２１２ｂとの間の空間部に挿入され、案内受け部５４による案内片５３の挿入方向への案内が開始される。次に、作業員が筐体本体２１に対してブロック３をさらに挿入すると、案内片４３の挿入方向端部が案内受け部４４の先端部４４ａと一方向端部２１１ａとの間の空間部Ｓ１に挿入され、案内受け部４４による案内片４３の挿入方向への案内が開始される。次に、作業員が筐体本体２１に対してブロック３をさらに挿入すると、係合片５１の案内面５１ａが係合受け５２の案内面５２ａと接触し、係合片５１が他方向に弾性変形することで、係合片５１が係合受け部５２を乗り越え、係合片５１と係合受け部５２とが抜去方向において対向する。このとき、案内片５３は、先端部５４ａと他方向端部２１２ｂとの間の空間部に挿入された状態を維持する。これにより、第２係合部５が係合する。次に、作業員が筐体本体２１に対してブロック３をさらに挿入すると、係合片４１の案内面４１ａが係合受け４２の案内面４２ａと接触し、係合片４１が一方向に弾性変形することで、係合片４１が係合受け部４２を乗り越え、係合片４１と係合受け部４２とが抜去方向において対向する。このとき、案内片４３は、先端部４４ａと一方向端部２１１ａとの間の空間部Ｓ１に挿入された状態を維持する。これにより、第１係合部４が係合する。
【００３７】
次に、作業員は、係合部２４により筐体本体２１に対してロアカバー２２を嵌合する。このとき、作業員は、筐体本体２１およびロアカバー２２により構成される挿通孔を介して、ブロック３に収容された電子部品と接続されている電線１０１を外部に露出させる。
【００３８】
次に、作業員は、係合部２５により筐体本体２１に対してアッパーカバー２３を嵌合する。なお、車両内部空間部に対する電気接続箱１の設置は、アッパーカバー２３を取り付けた後、あるいはアッパーカバー２３を取り付ける前のいずれでもよい。
【００３９】
ここで、作業員が筐体本体２１に対してブロック３を挿入する際に、図８に示すように、予め設定される挿入方向（Ｘ１方向）、すなわち筐体本体２１に対してブロック３を確実に挿入するために予め設定される方向と異なる、例えば予め設定される挿入方向と交差する実挿入方向Ｗに、ブロック３を筐体本体２１に対して挿入される場合がある。実挿入方向Ｗは、作業員によって変化するものである。本実施形態における電気接続箱１では、作業員が電子部品密領域３３側を把持位置とするため、奥行き方向から見た場合に、ブロック３のうち、幅方向のうち他方向端部が一方向端部よりも先に筐体本体２１に対して挿入され易くなる。この場合、案内片４３が案内受け部４４により案内されるよりも先に、案内片５３が案内受け部５４により案内される。従って、ブロック３は、奥行き方向から見た場合に、第２係合部５を基点に挿入方向に回転しながら筐体本体２１に対して挿入されることとなる。従って、実挿入方向Ｗは、予め設定される挿入方向に対して一方向に向かって傾斜した方向となる。第１係合部４に傾斜面４４ｂが形成されていない場合は、案内受け部４４に対して案内片４３の挿入方向端部が実挿入方向Ｗに向かって移動するため、案内受け部４４の抜去方向端部と接触することで、筐体本体２１に対するブロック３の挿入動作に引っ掛かりが発生し、案内片４３を空間部Ｓ１に挿入しにくくなるとともに、案内受け部４４の抜去方向端部が案内片４３と一方向端部３１ａとの間の空間部Ｓ２に挿入されにくくなる。一方、本実施形態における電気接続箱１およびワイヤハーネス１００では、第１係合部４に傾斜面４４ｂが形成されている。従って、傾斜面４４ｂによって空間部Ｓ１は、抜去方向に向かうに従い、他方向に向かって広がって形成されているので、筐体本体２１に対してブロック３が挿入方向に挿入される際に、空間部Ｓ１に対して案内片４３の挿入方向端部が実挿入方向Ｗに移動しても、案内片４３を空間部Ｓ１に挿入し易くすることができる。つまり、筐体本体２１に対するブロック３の挿入方向が予め設定されている挿入方向と異なる実挿入方向Ｗであっても、案内片４３が案内受け部４４に確実に挿入することができるので、第１係合部４の係合を確実に行うことができる。
【００４０】
また、本実施形態における電気接続箱１およびワイヤハーネス１００は、ブロック３の特定方向を長手方向とし、長手方向の一方向に対応して第１係合部４が設けられることとなる。ブロック３の長手方向は、筐体本体２１に対してブロック３が挿入方向に挿入される際に、予め設定された挿入方向と異なる挿入方向となった場合において、短手方向よりも筐体本体２１に対する幅方向へのずれが大きくなる。従って、長手方向の一方向に対応して、傾斜面４４ｂが形成される第１係合部４を設けることで、筐体本体２１に対してブロック３が挿入方向に挿入される際に、筐体本体２１に対するブロック３の幅方向へのズレが大きくても、傾斜面４４ｂにより案内片４３が案内受け部４４に確実に挿入することができるので、第１係合部４の係合を確実に行うことができる。
【００４１】
また、本実施形態における電気接続箱１およびワイヤハーネス１００は、第１係合部４を特定方向において電子部品密領域３３側ではなく、電子部品粗領域３２側に形成する。ブロック３の電子部品密領域３３側は、筐体本体２１に対してブロック３が挿入方向に挿入される際に、幅方向において電子部品粗領域３２側よりも先に挿入され易いため、挿入方向が予め設定された挿入方向と異なる方向となり易い。従って、幅方向における電子部品粗領域３２側において傾斜面４４ｂが形成される第１係合部４を設けることで、筐体本体２１に対してブロック３が挿入方向に挿入される際に、傾斜面４４ｂにより案内片４３が案内受け部４４に確実に挿入することができるので、第１係合部４の係合を確実に行うことができる。
【００４２】
なお、本実施形態における傾斜面４４ｂは、案内受け部４４に形成されるが、案内片４３のみ、あるいは案内片４３および案内受け部４４の両方に形成されていてもよい。案内片４３に傾斜面が形成される場合は、案内片４３の挿入方向端部を切り欠いて形成する。案内片４３の傾斜面は、案内片４３のうち、幅方向において案合受け部４４と対向する面に形成されることとなる。案内片４３の傾斜面は、挿入方向端部から抜去方向に向かうに従い、他方向に向かって傾斜して形成されることとなる。つまり、空間部Ｓ２は、挿入方向に向かうに従い、一方向に向かって広がって形成されることとなる。また、本実施形態における傾斜面４４ｂは、第１係合部４に形成されるが第２係合部５にも形成されていてもよい。
【００４３】
なお、本実施形態における第１係合部４は、ブロック３の幅方向における一方向端に対応して２以上形成されていてもよい。また、本実施形態における第２係合部５は、ブロック３の幅方向における他方向端に対応して２以上形成されていてもよい。また、本実施形態における係合片４１、５１および係合受け部４２、５２、案内片４３、５３および案内受け部４４、５４は、それぞれ形成されている位置を入れ替えてもよい。
【符号の説明】
【００４４】
１  電気接続箱
２  筐体
２ａ  収容空間部
２１  筐体本体
２１ａ  内部空間部
２１１  外周壁
２１２  内周壁
２２  ロアカバー
２３  アッパーカバー
２４，２５  係合部
３  ブロック
３ａ  キャビティー
３１  ブロック周壁
３２  電子部品粗領域
３３  電子部品密領域
４  第一係合部
４１  係合片
４２  係合受け部
４３  案合片
４４  案内受け部
４４ｂ  傾斜面
５  第二係合部
５１  係合片
５２  係合受け部
５３  案合片
５４  案内受け部
６  他係合部
１００  ワイヤハーネス
１０１  電線
【図１】
2020184858.tif 000003
【図２】
2020184858.tif 000004
【図３】
2020184858.tif 000005
【図４】
2020184858.tif 000006
【図５】
2020184858.tif 000007
【図６】
2020184858.tif 000008
【図７】
2020184858.tif 000009
【図８】
2020184858.tif 000010